(57)【要約】【課題】マルチ投影時の画質の調整を容易にする。【解決手段】スクリーン５００に画像を投影する投影光学系１７１と、投影光学系１７１が画像を投影する領域における、液晶プロジェクタ２００が画像を投影している領域と重なっている重畳領域、及び液晶プロジェクタ２００が画像を投影している領域と重なっていない非重畳領域を特定するための領域情報、並びにスクリーン５００に投影する画像の画質を調整するための指示を取得する取得部１１０１と、取得部１１０１が取得した第１指示に基づいて、重畳領域の画質又は非重畳領域の画質を調整した後に、取得部１１０１が取得した第２指示に基づいて、重畳領域の画質及び非重畳領域の画質を連動させて調整する画質調整部１１０２と、を有する。【選択図】図１
2017085446.tif 000002
【特許請求の範囲】
【請求項１】
スクリーンに画像を投影する投影手段と、
前記投影手段が画像を投影する領域における、他の投影装置が画像を投影している領域と重なっている重畳領域、及び他の投影装置が画像を投影している領域と重なっていない非重畳領域を特定するための領域情報、並びに前記スクリーンに投影する画像の画質を調整するための指示を取得する取得手段と、
前記取得手段が取得した第１指示に基づいて、前記重畳領域の画質又は前記非重畳領域の画質を調整した後に、前記取得手段が取得した第２指示に基づいて、前記重畳領域の画質及び前記非重畳領域の画質を連動させて調整する画質調整手段と、
を有することを特徴とする投影装置。
【請求項２】
前記取得手段は、前記画質調整手段が画質を連動させて調整する前記重畳領域及び前記非重畳領域が合成された合成領域を特定するための合成領域情報を取得し、
前記画質調整手段は、前記第２指示に基づいて、前記合成領域情報により特定した前記合成領域の画質を調整することを特徴とする、
請求項１に記載の投影装置。
【請求項３】
前記他の投影装置における前記非重畳領域の画質の調整量及び前記重畳領域の画質の調整量の少なくともいずれかを含む前記指示を前記他の投影装置に送信する送信手段をさらに有することを特徴とする、
請求項１又は２に記載の投影装置。
【請求項４】
前記画質調整手段は、前記他の投影装置の特性に基づいて、前記他の投影装置に送信する前記調整量を決定することを特徴とする、
請求項３に記載の投影装置。
【請求項５】
前記他の投影装置から前記非重畳領域の画質の調整量及び前記重畳領域の画質の調整量の少なくともいずれかを含む前記指示を受信する受信手段をさらに有することを特徴とする、
請求項１から４のいずれか１項に記載の投影装置。
【請求項６】
前記取得手段は、前記第１指示に基づいて画質を調整する領域である調整領域、及び前記調整領域の画質の調整において参照される領域である参照領域を特定するための調整用情報をさらに取得し、
前記画質調整手段は、前記第２指示に基づいて、前記調整用情報が示す前記調整領域及び前記参照領域に対応する前記重畳領域及び前記非重畳領域の画質を連動させて調整することを特徴とする、
請求項１から５のいずれか１項に記載の投影装置。
【請求項７】
投影装置がスクリーンに画像を投影する投影方法であって、
画像を投影する領域における、他の投影装置が画像を投影している領域と重なっている重畳領域、及び他の投影装置が画像を投影している領域と重なっていない非重畳領域を特定するための領域情報を取得する第１取得ステップと、
前記スクリーンに投影する画像の画質を調整するための第１指示を取得する第２取得ステップと、
前記第１指示に基づいて、前記重畳領域の画質又は前記非重畳領域の画質を調整する第１調整ステップと、
前記第１調整ステップの後に、前記重畳領域及び前記非重畳領域の少なくともいずれかの領域の画質を調整するための第２指示を取得する第３取得ステップと、
前記第２指示に基づいて、前記重畳領域の画質及び前記非重畳領域の画質を連動させて調整する第２調整ステップと、
を有することを特徴とする投影方法。
【請求項８】
前記第２取得ステップにおいて、画質を連動させて調整する前記重畳領域及び前記非重畳領域が合成された合成領域を特定するための情報である第１領域情報を取得し、
前記第２調整ステップにおいて、前記第２指示に基づいて、前記合成領域の画質を調整することを特徴とする、
請求項７に記載の投影方法。
【請求項９】
前記他の投影装置における前記非重畳領域の画質の調整量及び前記重畳領域の画質の調整量の少なくともいずれかを含む指示を前記他の投影装置に送信する送信ステップをさらに有することを特徴とする、
請求項７又は８に記載の投影方法。
【請求項１０】
前記送信ステップにおいて、前記他の投影装置の特性に基づいて、前記他の投影装置に送信する前記調整量を決定することを特徴とする、
請求項９に記載の投影方法。
【請求項１１】
前記他の投影装置から前記非重畳領域の画質の調整量及び前記重畳領域の画質の調整量の少なくともいずれかを含む指示を受信する受信ステップをさらに有することを特徴とする、
請求項７から１０のいずれか１項に記載の投影方法。
【請求項１２】
前記第１指示に基づいて画質を調整する領域である調整領域、及び前記調整領域の画質の調整において参照される領域である参照領域を特定するための調整用情報を取得するステップをさらに有し、
前記第２調整ステップにおいて、前記第２指示に基づいて、前記調整用情報が示す前記調整領域及び前記参照領域に対応する前記重畳領域及び前記非重畳領域の画質を連動させて調整することを特徴とする、
請求項７から１１のいずれか１項に記載の投影方法。
【請求項１３】
複数の投影装置を備える投影システムであって、
前記複数の投影装置それぞれが、
スクリーンに画像を投影する投影手段と、
前記投影手段が画像を投影する領域における、他の投影装置が画像を投影している領域と重なっている重畳領域、及び他の投影装置が画像を投影している領域と重なっていない非重畳領域を特定するための領域情報、並びに前記スクリーンに投影する画像の画質を調整するための指示を取得する取得手段と、
を有し、
前記複数の投影装置の少なくともいずれかが、
前記取得手段が取得した第１指示に基づいて、前記重畳領域の画質又は前記非重畳領域の画質を調整した後に、前記取得手段が取得した第２指示に基づいて、一以上の前記重畳領域の画質及び複数の前記非重畳領域から選択された複数の領域の画質を連動させて調整する画質調整手段と、
を有することを特徴とする投影システム。
【請求項１４】
前記第１指示に基づいて画質を調整する領域である調整領域、及び前記調整領域の画質の調整において参照される領域である参照領域を設定する調整領域設定手段と、
前記調整領域及び前記参照領域に対応する前記重畳領域及び前記非重畳領域の画質を連動させて調整するための前記第２指示を前記複数の投影装置の少なくともいずれかに送信する送信手段と、
を有する制御装置をさらに備えることを特徴とする、
請求項１３に記載の投影システム。
【発明の詳細な説明】
【技術分野】
【０００１】
本発明は、画像を投影するための投影装置、投影方法及び投影システムに関するものである。
【背景技術】
【０００２】
複数の投影装置を用いて複数の画像を同時に投影するマルチ投影において、複数の投影装置が投影する複数の画像が重なる重畳領域と、複数の投影装置が投影する複数の画像が重ならない非重畳領域が存在する。重畳領域と非重畳領域とでは画質が異なるので、各領域の画質の調整が必要である。特許文献１及び特許文献２には、非重畳領域の黒輝度を高くすることにより、複数の領域間の黒輝度を均一にする技術が開示されている。
【先行技術文献】
【特許文献】
【０００３】
【特許文献１】特表２００４−５０７９５４号公報
【特許文献２】特開２００３−２７４３１９号公報
【発明の概要】
【発明が解決しようとする課題】
【０００４】
しかしながら、従来の技術を用いてマルチ投影中の各領域の画質を調整する際には、同じ領域の画質を何度も調整しなければならない場合が生じやすかった。例えば、第１領域に合わせて第２領域を調整した後に、第３領域に合わせて第２領域を調整する必要がある場合、第２領域を調整したことにより、第１領域を再び調整する必要があった。したがって、マルチ投影時の各領域の画質の調整が煩雑であるという問題があった。
【０００５】
そこで、本発明は上述した点に鑑みてなされたものであり、マルチ投影時の画質の調整を容易にすることを目的とする。
【課題を解決するための手段】
【０００６】
本発明の投影装置は、スクリーンに画像を投影する投影手段と、前記投影手段が画像を投影する領域における、他の投影装置が画像を投影している領域と重なっている重畳領域、及び他の投影装置が画像を投影している領域と重なっていない非重畳領域を特定するための領域情報、並びに前記スクリーンに投影する画像の画質を調整するための指示を取得する取得手段と、前記取得手段が取得した第１指示に基づいて、前記重畳領域の画質又は前記非重畳領域の画質を調整した後に、前記取得手段が取得した第２指示に基づいて、前記重畳領域の画質及び前記非重畳領域の画質を連動させて調整する画質調整手段と、を有することを特徴とする。
【０００７】
本発明の投影方法は、投影装置がスクリーンに画像を投影する投影方法であって、画像を投影する領域における、他の投影装置が画像を投影している領域と重なっている重畳領域、及び他の投影装置が画像を投影している領域と重なっていない非重畳領域を特定するための領域情報を取得する第１取得ステップと、前記スクリーンに投影する画像の画質を調整するための第１指示を取得する第２取得ステップと、前記第１指示に基づいて、前記重畳領域の画質又は前記非重畳領域の画質を調整する第１調整ステップと、前記第１調整ステップの後に、前記重畳領域及び前記非重畳領域の少なくともいずれかの領域の画質を調整するための第２指示を取得する第３取得ステップと、前記第２指示に基づいて、前記重畳領域の画質及び前記非重畳領域の画質を連動させて調整する第２調整ステップと、を有することを特徴とする。
【０００８】
本発明の投影システムは、複数の投影装置を備える投影システムであって、前記複数の投影装置それぞれが、スクリーンに画像を投影する投影手段と、前記投影手段が画像を投影する領域における、他の投影装置が画像を投影している領域と重なっている重畳領域、及び他の投影装置が画像を投影している領域と重なっていない非重畳領域を特定するための領域情報、並びに前記スクリーンに投影する画像の画質を調整するための指示を取得する取得手段と、を有し、前記複数の投影装置の少なくともいずれかが、前記取得手段が取得した第１指示に基づいて、前記重畳領域の画質又は前記非重畳領域の画質を調整した後に、前記取得手段が取得した第２指示に基づいて、一以上の前記重畳領域の画質及び複数の前記非重畳領域から選択された複数の領域の画質を連動させて調整する画質調整手段と、を有することを特徴とする。
【発明の効果】
【０００９】
本発明によれば、マルチ投影時の画質の調整を容易にすることができるという効果を奏する。
【図面の簡単な説明】
【００１０】
【図１】第１の実施形態に係る投影システムＳの構成を示す図である。
【図２】液晶プロジェクタ１００の構成を示す図である。
【図３】本実施例の液晶プロジェクタ１００の基本動作の制御を説明するためのフローチャートである。
【図４】画質調整動作のフローチャートである。
【図５】画質調整時の画像領域の遷移例を示す図である。
【図６】エッジブレンド幅を設定するためのレイアウト選択画面の一例を示す図である。
【図７】調整領域及び参照領域の位置を調整するための領域情報選択画面の一例を示す図である。
【図８】輝度の調整量を調整するための調整量調整画面の一例を示す図である。
【図９】第２の実施形態における画質調整動作のフローチャートである。
【発明を実施するための形態】
【００１１】
＜第１の実施形態＞
［投影システムＳの概要］
図１は、第１の実施形態に係る投影システムＳの構成を示す図である。投影システムＳは、液晶プロジェクタ１００、液晶プロジェクタ２００及び液晶プロジェクタ３００の３台の液晶プロジェクタを用いて、外部装置４００から入力された映像信号に基づく画像をスクリーン５００に表示することができる。液晶プロジェクタ１００、液晶プロジェクタ２００及び液晶プロジェクタ３００は、同等の機能を有しており、本明細書においては、液晶プロジェクタ１００の構成を中心に説明する。
【００１２】
液晶プロジェクタ１００は、外部装置４００から入力された映像信号に応じて液晶素子の光の透過率を制御して、液晶素子を透過した光源からの光をスクリーンに投影することで、表示画像をユーザに提示する。なお、液晶プロジェクタは、単板式及び３板式のいずれの方式であってもよい。
【００１３】
外部装置４００は、映像信号源であり、例えばコンピュータである。外部装置４００は、液晶プロジェクタ１００、液晶プロジェクタ２００及び液晶プロジェクタ３００に、映像ケーブルを介して映像信号を送信する。外部装置４００は、映像信号を出力できるものであれば、パーソナルコンピュータ、カメラ、携帯電話、スマートフォン、ハードディスクレコーダ、ゲーム機などの任意の装置であってもよい。
【００１４】
液晶プロジェクタ１００、液晶プロジェクタ２００及び液晶プロジェクタ３００は、外部装置４００が送信した映像信号を受信して、受信した映像信号に基づく画像をスクリーン５００に表示することにより、一つの統合された大画面を表示する。図１に示すように、液晶プロジェクタ１００が画像を表示する画像領域ａ１と、液晶プロジェクタ２００が画像を表示する領域である画像領域ａ２とは、重畳領域ｂ１において重なっており、エッジブレンディングが行われる。また、液晶プロジェクタ２００が画像を表示する画像領域ａ２と、液晶プロジェクタ３００が画像を表示する画像領域ａ３とは、重畳領域ｂ２において重なっており、エッジブレンディングが行われる。非重畳領域ｃ１、ｃ２、ｃ３は、複数の画像領域が重なっていない領域である。
【００１５】
液晶プロジェクタ１００、液晶プロジェクタ２００及び液晶プロジェクタ３００は、互いに各種の情報を送受信することができる。例えば、液晶プロジェクタ１００、液晶プロジェクタ２００及び液晶プロジェクタ３００は、それぞれにおける重畳領域の位置及び幅を示す情報を、ＬＡＮケーブルを介して互いに通信することができる。
【００１６】
［液晶プロジェクタ１００の構成］
図２は、液晶プロジェクタ１００の構成を示す図である。液晶プロジェクタ１００、液晶プロジェクタ２００及び液晶プロジェクタ３００は、構成が同一であるので、図２を参照して液晶プロジェクタ１００の全体の構成を説明し、液晶プロジェクタ２００及び液晶プロジェクタ３００の全体の構成の説明は省略する。
【００１７】
本実施形態に係る液晶プロジェクタ１００は、ＣＰＵ１１０、ＲＯＭ１１１、ＲＡＭ１１２、操作部１２０、画像入力部１３０及び画像処理部１４０を有する。また、液晶プロジェクタ１００は、液晶制御部１５０、液晶素子１５１Ｒ、１５１Ｇ、１５１Ｂ、光源制御部１６０、光源１６１、色分離部１６２、色合成部１６３、光学系制御部１７０、及び投影光学系１７１を有する。また、液晶プロジェクタ１００は、さらに、通信部１８０、表示制御部１９０及び表示部１９１を有していてもよい。
【００１８】
ＣＰＵ１１０は、液晶プロジェクタ１００の各動作ブロックを制御する。ＲＯＭ１１１は、ＣＰＵ１１０の処理手順を記述した制御プログラムを記憶する。ＲＡＭ１１２は、ワークメモリとして一時的に制御プログラムやデータを格納する。ＣＰＵ１１０は、通信部１８０より受信した静止画データ及び動画データを一時的に記憶し、ＲＯＭ１１１に記憶されたプログラムを用いて、それぞれの画像及び映像を再生する。また、ＣＰＵ１１０は、操作部１２０又は通信部１８０から入力された制御信号を受信して、液晶プロジェクタ１００の各動作ブロックを制御する。
【００１９】
ＣＰＵ１１０は、ＲＯＭ１１１に記憶されたプログラムを実行することにより、取得部１１０１及び画質調整部１１０２として機能する。
取得部１１０１は、操作部１２０又は通信部１８０を介して、投影光学系１７１が画像を投影する領域における、他の投影装置である液晶プロジェクタ２００が画像を投影している画像領域ａ２と重なっている重畳領域ｂ１、及び画像領域ａ２と重なっていない非重畳領域ｃ１を特定するための領域情報を取得する。領域情報は、画像領域ａ１における重畳領域ｂ１の位置が、上下左右のいずれの位置であるかを示す情報、及び重畳領域ｂ１の幅を示す情報を含んでいる。
【００２０】
また、取得部１１０１は、操作部１２０又は通信部１８０を介して、連動して調整される領域である合成領域を特定するための合成領域情報を取得する。取得部１１０１は、例えば、重畳領域ｂ１と非重畳領域ｃ１とが連動して調整される場合、重畳領域ｂ１と非重畳領域ｃ１とを合成した合成領域を特定するための合成領域情報を取得する。
【００２１】
また、取得部１１０１は、操作部１２０又は通信部１８０を介して入力されたユーザの指示を取得する。例えば、取得部１１０１は、スクリーン５００に投影する画像の画質を調整する指示を取得する。取得部１１０１は、画像領域ａ１における、重畳領域ｂ１及び非重畳領域ｃ１の少なくともいずれかの領域の画質を調整するための第１指示を取得する。また、取得部１１０１は、第１指示に基づいて画質を調整した後に、重畳領域ｂ１及び非重畳領域ｃ１の画質を連動させて調整するための第２指示を取得する。
【００２２】
さらに、取得部１１０１は、第１指示に基づいて画質を調整する領域である調整領域、及び調整領域の画質の調整において参照される領域である参照領域を特定するための調整用情報をさらに取得する。調整領域及び参照領域の詳細については、後述する。
【００２３】
画質調整部１１０２は、取得部１１０１が取得した第１指示に基づいて、重畳領域ｂ１の画質又は非重畳領域ｃ１の画質を調整した後に、取得部１１０１が取得した第２指示に基づいて、重畳領域ｂ１及び非重畳領域ｃ１の画質を連動させて調整する。なお、画質調整部１１０２は、投影している画像領域ａ１の中に、重畳領域及び非重畳領域を合わせて３つ以上の領域がある場合、一以上の重畳領域及び一以上の非重畳領域から選択された、３つ以上の領域の一部の領域の画質を連動させて調整する。画質調整部１１０２は、取得部１１０１が合成領域情報を取得した場合、合成領域情報に基づいて特定した合成領域の画質を調整する。
【００２４】
また、画質調整部１１０２は、取得部１１０１が調整用情報を取得した場合、第２指示に基づいて、調整用情報が示す調整領域及び参照領域に対応する重畳領域及び非重畳領域の画質を連動させて調整する。例えば、画質調整部１１０２は、調整用情報が、重畳領域ｂ１が調整領域であり、非重畳領域ｃ１が参照領域であることを示している場合、第１指示に基づいて、重畳領域ｂ１を調整した後に取得部１１０１が取得した第２指示に基づいて、重畳領域ｂ１及び非重畳領域ｃ１の画質を連動させて調整する。画質調整部１１０２の動作の詳細については、後述する。
【００２５】
操作部１２０は、ユーザの指示を受け付け、ＣＰＵ１１０に、受け付けた指示の内容を示す指示信号を送信する。操作部１２０は、例えば、スイッチ、ダイヤル、又は表示部１９１上に設けられたタッチパネルなどを含んでいる。また、操作部１２０は、例えば、リモコンからの信号を受信する信号受信部であり、受信した信号に基づいて所定の指示信号をＣＰＵ１１０に送信してもよい。
【００２６】
画像入力部１３０は、外部装置４００から映像信号を受信する。画像入力部１３０は、例えば、コンポジット端子、Ｓ映像端子、Ｄ端子、コンポーネント端子、アナログＲＧＢ端子、ＤＶＩ−Ｉ端子、ＤＶＩ−Ｄ端子、又はＨＤＭＩ（登録商標）端子等を含む。画像入力部１３０は、アナログ映像信号を受信した場合には、受信したアナログ映像信号をデジタル映像信号に変換する。そして、画像入力部１３０は、変換したデジタル映像信号を、画像処理部１４０に送信する。
【００２７】
画像処理部１４０は、画像入力部１３０から受信した映像信号に、フレーム数、画素数、画像形状などの変更処理を施して液晶制御部１５０に送信するものであり、例えば画像処理用のマイクロプロセッサを含む。画像処理部１４０は、専用のマイクロプロセッサを含む必要はなく、例えば、ＲＯＭ１１１に記憶されたプログラムによって、ＣＰＵ１１０が画像処理部１４０として機能してもよい。なお、画像処理部１４０は、フレーム間引き処理、フレーム補間処理、解像度変換処理、及び歪み補正処理（キーストーン補正処理）などの機能を実行することも可能である。また、画像処理部１４０は、画像入力部１３０から受信した映像信号以外に、ＣＰＵ１１０によって再生された画像又は映像に対して、前述の各種の処理を施すこともできる。
【００２８】
液晶制御部１５０は、画像処理部１４０で処理された映像信号に基づいて、液晶素子１５１Ｒ、１５１Ｇ、１５１Ｂの画素の液晶に印可する電圧を制御して、液晶素子１５１Ｒ、１５１Ｇ、１５１Ｂの透過率を調整する。液晶制御部１５０は、例えば、制御用のマイクロプロセッサを含む。液晶制御部１５０は、専用のマイクロプロセッサを含む必要はなく、例えば、ＲＯＭ１１１に記憶されたプログラムによって、ＣＰＵ１１０が液晶制御部１５０として機能してもよい。
【００２９】
液晶制御部１５０は、画像処理部１４０に映像信号が入力されている場合、画像処理部１４０から１フレームの画像を受信する度に、画像に対応する透過率となるように、液晶素子１５１Ｒ、１５１Ｇ、１５１Ｂを制御する。液晶素子１５１Ｒは、赤色に対応する液晶素子であって、光源１６１から出力された光のうち、色分離部１６２で赤色（Ｒ）、緑色（Ｇ）、青色（Ｂ）に分離された光のうち、赤色の光の透過率を調整する。液晶素子１５１Ｇは、緑色に対応する液晶素子であって、光源１６１から出力された光のうち、色分離部１６２で赤色（Ｒ）、緑色（Ｇ）、青色（Ｂ）に分離された光のうち、緑色の光の透過率を調整する。液晶素子１５１Ｂは、青色に対応する液晶素子であって、光源１６１から出力された光のうち、色分離部１６２で赤色（Ｒ）、緑色（Ｇ）、青色（Ｂ）に分離された光のうち、青色の光の透過率を調整する。この液晶制御部１５０による液晶素子１５１Ｒ、１５１Ｇ、１５１Ｂの具体的な制御動作や液晶素子１５１Ｒ、１５１Ｇ、１５１Ｂの構成については、後述する。
【００３０】
光源制御部１６０は、光源１６１のオン／オフの制御、及び光量の制御をするものであり、制御用のマイクロプロセッサを含む。光源制御部１６０は、専用のマイクロプロセッサを含む必要はなく、例えば、ＲＯＭ１１１に記憶されたプログラムによって、ＣＰＵ１１０が光源制御部１６０として機能してもよい。
【００３１】
光源１６１は、スクリーン５００に画像を投影するための光を出力する。光源１６１は、例えば、ハロゲンランプ、キセノンランプ、高圧水銀ランプなどである。
色分離部１６２は、光源１６１から出力された光を、赤色（Ｒ）、緑色（Ｇ）、青色（Ｂ）に分離するものであり、例えば、ダイクロイックミラーやプリズムなどからなる。なお、光源１６１として、各色に対応するＬＥＤ等を使用する場合には、色分離部１６２は不要である。
【００３２】
色合成部１６３は、液晶素子１５１Ｒ、１５１Ｇ、１５１Ｂを透過した赤色（Ｒ）、緑色（Ｇ）、青色（Ｂ）の光を合成するものであり、例えば、ダイクロイックミラー及びプリズムなどを含む。色合成部１６３により赤色（Ｒ）、緑色（Ｇ）、青色（Ｂ）の成分を合成した光は、投影光学系１７１に送られる。このとき、液晶素子１５１Ｒ、１５１Ｇ、１５１Ｂは、画像処理部１４０から入力された画像に対応する光の透過率となるように、液晶制御部１５０により制御されている。そのため、色合成部１６３により合成された合成光は、投影光学系１７１によりスクリーン５００に投影されると、画像処理部１４０により入力された画像に対応する画像がスクリーン５００上に表示されることになる。
【００３３】
光学系制御部１７０は、投影光学系１７１を制御するものであり、制御用のマイクロプロセッサを含む。光学系制御部１７０は、専用のマイクロプロセッサである必要はなく、例えば、ＲＯＭ１１１に記憶されたプログラムによって、ＣＰＵ１１０が光学系制御部１７０として機能してもよい。
【００３４】
投影光学系１７１は、画像処理部１４０において処理された画像に対応する合成光をスクリーン５００に投影する投影手段である。投影光学系１７１は、複数のレンズ及びレンズ駆動用のアクチュエータを含み、レンズをアクチュエータにより駆動することで、投影画像の拡大、縮小及び焦点調整などを行うことができる。
【００３５】
通信部１８０は、液晶プロジェクタ２００、液晶プロジェクタ３００及び外部装置４００との間で、制御信号、静止画データ及び動画データなどを受信するための通信インターフェイスである。通信部１８０は、例えば、無線ＬＡＮ、有線ＬＡＮ、ＵＳＢ又はＢｌｕｅｔｏｏｔｈ（登録商標）などであり、通信方式は特に限定されない。通信部１８０は、画像入力部１３０の端子が、例えばＨＤＭＩ（登録商標）端子であれば、その端子を介してＣＥＣ通信を行うためのインターフェイスを有していてもよい。
【００３６】
通信部１８０は、液晶プロジェクタ２００における重畳領域ｂ２の画質の調整量及び非重畳領域ｃ２の画質の調整量の少なくともいずれかを含む第２指示を液晶プロジェクタ２００に送信する送信手段として機能する。また、通信部１８０は、液晶プロジェクタ２００から、重畳領域ｂ１の画質の調整量及び非重畳領域ｃ１の画質の調整量の少なくともいずれかを含む第２指示を受信する受信手段として機能する。例えば、ユーザが、重畳領域ｂ１の画質を液晶プロジェクタ１００及び液晶プロジェクタ２００の両方を用いて調整することを選択した場合、液晶プロジェクタ１００の通信部１８０は、ユーザが、重畳領域ｂ１における液晶プロジェクタ１００の画質を調整した後に、液晶プロジェクタ２００に対して、重畳領域ｂ１の調整量を送信する。
【００３７】
表示制御部１９０は、液晶プロジェクタ１００に備えられた表示部１９１に液晶プロジェクタ１００を操作するための操作画面やスイッチアイコン等の画像を表示させるための制御をするものであり、表示制御を行うマイクロプロセッサを含む。表示制御部１９０は、専用のマイクロプロセッサである必要はなく、例えば、ＲＯＭ１１１に記憶されたプログラムによって、ＣＰＵ１１０が表示制御部１９０として機能してもよい。
【００３８】
表示部１９１は、液晶プロジェクタ１００を操作するための操作画面及びスイッチアイコンを表示する。表示部１９１は、画像を表示できればどのようなデバイスであってもよい。表示部１９１は、例えば、液晶ディスプレイ、ＣＲＴディスプレイ、有機ＥＬディスプレイ、又はＬＥＤディスプレイである。表示部１９１は、特定のボタンをユーザに認識させるために、各ボタンに対応するＬＥＤ等の発光素子を発光させてもよい。
【００３９】
［液晶プロジェクタ１００の基本動作］
次に、図３を参照して、本実施例の液晶プロジェクタ１００の基本動作を説明する。
図３は、本実施例の液晶プロジェクタ１００の基本動作の制御を説明するためのフローチャートである。図３に示す動作は、ＣＰＵ１１０が、ＲＯＭ１１１に記憶されたプログラムに基づいて、各機能ブロックを制御することにより実行されるものである。図３に示すフローチャートは、ユーザが、操作部１２０又はリモコン（不図示）を介して、液晶プロジェクタ１００の電源のオン状態への移行を指示した時点をスタートとしている。
【００４０】
ユーザが、操作部１２０又はリモコンにより液晶プロジェクタ１００の電源をオン状態にすると、ＣＰＵ１１０は、液晶プロジェクタ１００の各部に不図示の電源回路から電力を供給する。
【００４１】
次に、ＣＰＵ１１０は、ユーザによる操作部１２０又はリモコンを介した操作により選択された表示モードの種別を判定する（Ｓ２１０）。液晶プロジェクタ１００の表示モードの一つは、画像入力部１３０から入力された映像信号に基づく画像を表示する「入力画像表示モード」である。本実施例の液晶プロジェクタ１００の表示モードの他の一つは、通信部１８０から受信した静止画データ又は動画データに基づく画像又は映像を表示する「ファイル受信表示モード」である。
【００４２】
なお、表示モードは、「入力画像表示モード」と「ファイル受信表示モード」に限定されることはなく、画像又は映像を表示できるモードであれば何でもよい。また、本実施形態においては、ユーザにより表示モードが選択される場合について説明するが、電源を投入した時点での表示モードは、前回の動作終了時の表示モードになっていてもよい。また、前述のいずれかの表示モードをデフォルトの表示モードとしてもよい。その場合には、Ｓ２１０の処理は省略可能である。
【００４３】
ここでは、Ｓ２１０で、「入力画像表示モード」が選択されたものとして説明する。ＣＰＵ１１０は、Ｓ２１０において「入力画像表示モード」が選択されたと判定すると、画像入力部１３０から映像が入力されているか否かを判定する（Ｓ２２０）。ＣＰＵ１１０は、画像入力部１３０から映像が入力されていない場合（Ｓ２２０でＮｏ）、入力が検出されるまで待機し、映像が入力されている場合（Ｓ２２０でＹｅｓ）、投影処理（Ｓ２３０）を実行する。
【００４４】
ＣＰＵ１１０は、投影処理として、画像入力部１３０より入力された映像を画像処理部１４０に送信し、画像処理部１４０に、映像の画素数、フレームレート及び形状の変更処理を実行させ、処理の施された１画面分の画像を液晶制御部１５０に送信する。そして、ＣＰＵ１１０は、液晶制御部１５０に、受信した１画面分の画像の赤色（Ｒ）、緑色（Ｇ）、青色（Ｂ）の各色成分の階調レベルに応じた透過率となるように、液晶素子１５１Ｒ、１５１Ｇ、１５１Ｂの透過率を制御させる。そして、ＣＰＵ１１０は、光源制御部１６０に光源１６１からの光の出力を制御させる。この投影処理は、画像を投影している間、１フレームの画像ごとに、順次、実行される。
【００４５】
なお、このとき、ユーザにより投影光学系１７１の操作をする指示が操作部１２０から入力されると、ＣＰＵ１１０は、光学系制御部１７０に、投影画像の焦点を変更したり、光学系の拡大率を変更したりするように投影光学系１７１のアクチュエータを制御させる。
【００４６】
上記の表示処理実行中に、ＣＰＵ１１０は、表示モードを切り替えるユーザによる指示が操作部１２０から入力されたか否かを判定する（Ｓ２４０）。ここで、表示モードを切り替える指示が操作部１２０から入力されると（Ｓ２４０でＹｅｓ）、ＣＰＵ１１０は、再びＳ２１０に戻り、表示モードの判定を行う。このとき、ＣＰＵ１１０は、画像処理部１４０に、表示モードを選択させるためのメニュー画面をオンスクリーンディスプレイ（ＯＳＤ）画像として送信し、投影中の画像に対して、このＯＳＤ画像を重畳させるように画像処理部１４０を制御する。ユーザは、この投影されたＯＳＤ画像を見ながら、表示モードを選択することができる。
【００４７】
表示処理実行中に、表示モードを切り替える指示が操作部１２０から入力されない場合（Ｓ２４０でＮｏ）、ＣＰＵ１１０は、ユーザにより投影終了の指示が操作部１２０から入力されたか否かを判定する（Ｓ２５０）。ここで、ＣＰＵ１１０は、投影終了の指示が操作部１２０から入力されたと判定した場合（Ｓ２５０でＹｅｓ）、液晶プロジェクタ１００の各ブロックに対する電力の供給を停止させ、画像投影を終了させる。一方、ＣＰＵ１１０は、投影終了の指示が操作部１２０から入力されていないと判定した場合（Ｓ２５０でＮｏ）、処理をＳ２２０に戻し、これ以降、投影終了の指示が操作部１２０から入力されるまでの間、Ｓ２２０からＳ２５０までの処理を繰り返す。
以上の手順により、本実施例の液晶プロジェクタ１００は、スクリーン５００に対して画像を投影する。
【００４８】
なお、「ファイル受信表示モード」では、ＣＰＵ１１０は、通信部１８０から受信した静止画データ又は動画データをＲＡＭ１１２に一時的に記憶し、ＲＯＭ１１１に記憶されたプログラムに基づいて、静止画データ又は動画データに基づく画像又は映像を再生する。そして、ＣＰＵ１１０は、例えば再生した動画データの映像を順次、画像処理部１４０に送信し、通常の投影処理（Ｓ２３０）と同様に、画像処理部１４０、液晶制御部１５０、光源制御部１６０を制御する。また、静止画データを再生した場合には、再生した画像を画像処理部１４０に送信し、通常の投影処理（Ｓ２３０）と同様に、画像処理部１４０、液晶制御部１５０、光源制御部１６０を制御する。
【００４９】
［画質調整動作］
続いて、本実施形態における画質調整の動作について詳細に説明する。
図４は、画質調整動作のフローチャートである。図５は、画質調整時の画像領域の遷移例を示す図である。図４のフローチャートは、ＣＰＵ１１０の取得部１１０１が、操作部１２０を介して、ユーザからの調整開始の信号を受信した時点をスタートとしている。
【００５０】
まず、Ｓ３０１において、ＣＰＵ１１０は、マルチ投影画面における非重畳領域及び重畳領域を特定するための領域情報を受信する。例えば、ＣＰＵ１１０は、通信部１８０を介して、液晶プロジェクタ２００に対して、液晶プロジェクタ２００のプロジェクタＩＤとエッジブレンド幅の取得要求を送信する。ＣＰＵ１１０は、取得要求に応じて液晶プロジェクタ２００が送信したプロジェクタＩＤとエッジブレンド幅を、通信部１８０を介して受信する。
【００５１】
なお、プロジェクタＩＤは、プロジェクタを一意に識別できる情報であり、例としてＩＤ１、ＩＤ２、ＩＤ３が挙げられるが、プロジェクタを一意に識別できる情報であれば、任意の情報であってよい。エッジブレンド幅は、重畳領域の幅を示すものであり、例として画素数が挙げられるが、重畳領域の幅を示す情報であれば何でもよい。
【００５２】
図６は、エッジブレンド幅を設定するためのレイアウト選択画面の一例を示す図である。図６におけるＩＤ１〜ＩＤ３は、プロジェクタＩＤであり、（１）〜（５）は領域番号である。領域番号は、領域を一意に識別できる番号であり、例として（１）〜（５）が挙げられるが、領域を一意に識別できる番号であれば何でもよい。ユーザは、レイアウト選択画面上で、ＩＤ１〜ＩＤ３を移動させることにより、レイアウトを選択する。ＣＰＵ１１０は、ユーザがレイアウト選択画面上で選択したレイアウトを示すレイアウト情報を、操作部１２０を介して受信する。レイアウト情報は、例えば、領域番号の順番を示す情報である。なお、ユーザにレイアウトを選択させる手段は、レイアウト選択画面を表示する手段に限定されることはなく、ユーザがレイアウトを選択できる手段であれば何でもよい。
【００５３】
また、ＣＰＵ１１０が、通信部１８０を介して液晶プロジェクタ２００に対して取得要求を送信する時点で、既にレイアウトが決まっている場合、ＣＰＵ１１０は、プロジェクタＩＤ及びエッジブレンド幅の他に、領域番号及び合成領域を特定するための情報も受信する。その場合、ＣＰＵ１１０は、表示メニュー上にレイアウト選択画面を表示しない。
【００５４】
続いて、Ｓ３０２において、ＣＰＵ１１０は、調整領域及び参照領域を特定するための調整用情報を、操作部１２０を介して受信する。図７は、調整領域及び参照領域の位置を調整するための領域情報選択画面の一例を示す図である。調整領域は、ユーザが画質の調整を行う領域である。参照領域は、ユーザが調整領域の調整を行う場合に、参照する領域である。図７に示す例は、領域１が調整領域であり、領域２が参照領域である。ユーザは、例えば、参照領域と調整領域の特性が近くなるように操作して、調整領域の画質を調整する。
【００５５】
ユーザは、領域情報選択画面に表示されている調整領域及び参照領域を移動させることにより、調整領域及び参照領域の位置を調整することができる。ＣＰＵ１１０は、ユーザが領域情報選択画面上で調整した調整領域及び参照領域の位置を示す情報を、操作部１２０を介して受信する。なお、ユーザに調整領域及び参照領域を選択させる手段は、領域情報選択画面を表示する手段に限定されることはなく、ユーザが調整領域及び参照領域を選択できる手段であれば何でもよい。また、ＣＰＵ１１０は、エッジブレンドの幅から重畳領域を特定し、特定した重畳領域の位置を示す情報に基づいて定められる調整領域及び参照領域の位置を初期状態として、領域情報選択画面上に表示してもよい。
【００５６】
続いて、Ｓ３０３において、ＣＰＵ１１０は、輝度の調整量を受信する。図８は、輝度の調整量を調整するための調整量調整画面の一例を示す図である。ユーザは、調整量調整画面上で、カーソルを上下させることにより調整量の調整を行うことができる。ＣＰＵ１１０は、ユーザが調整量調整画面上で調整した調整量を、操作部１２０を介して受信する。なお、上記の説明においては、輝度の調整量を例示したが、調整量としては、黒輝度、白輝度、色味、色再現性、色の濃さ及び色合いなどが挙げられ、調整できるものであれば何でもよい。また、ユーザに調整量を調整させる手段は、調整量調整画面を表示させる手段に限定されることはなく、ユーザが調整量を調整できる手段であれば何でもよい。
【００５７】
続いて、Ｓ３０４において、ＣＰＵ１１０は、調整領域の輝度の調整処理を行う。ＣＰＵ１１０は、調整領域に対して、Ｓ３０３において受信した調整量に基づいて調整処理を行うように、画像処理部１４０に対して指示要求を送信する。画像処理部１４０は、指示要求を受信すると、調整領域に対して、調整量に基づく調整処理を行い、ＣＰＵ１１０に対して、調整処理完了の通知を送信する。なお、調整処理としては、オフセット処理、乗算処理、除算処理、演算処理など、画質を調整できる手段であれば何でもよい。
【００５８】
ここで、図５（１）〜図５（３）を参照して、調整量の調整内容について説明する。
図５（１）における領域１は輝度がＡであり、領域２の輝度が２Ａ＋１であり、領域３の輝度がＡ＋１であり、領域４の輝度が２Ａ＋３であり、領域５の輝度がＡ＋２であるとする。この場合、ユーザは、図５（２）における調整領域（図５（１）における領域１）の輝度が、参照領域（図５（１）における領域２）の輝度２Ａ＋１に等しくなるように、調整領域の輝度をＡ＋１だけ増やすための調整量Ａ＋１を設定する。このようにすることで、図５（３）に示すように、調整領域の輝度が２Ａ＋１になり、調整領域の輝度と参照領域の輝度とが一致する。
【００５９】
なお、重畳領域の調整処理は、液晶プロジェクタ１００のみで行っても、液晶プロジェクタ２００のみで行っても、液晶プロジェクタ１００及び液晶プロジェクタ２００の両方で行ってもよい。液晶プロジェクタ２００のみで調整処理を行う場合、並びに液晶プロジェクタ１００及び液晶プロジェクタ２００の両方で調整処理を行う場合、液晶プロジェクタ１００のＣＰＵ１１０は、通信部１８０を介して、液晶プロジェクタ２００に対して、調整領域の情報及び調整量を送信する。そして、液晶プロジェクタ１００のＣＰＵ１１０は、通信部１８０を介して、液晶プロジェクタ２００に対して、調整領域の調整処理を行うように指示要求を送信する。
【００６０】
液晶プロジェクタ２００のＣＰＵ１１０は、液晶プロジェクタ１００から調整量を受信した場合には、操作部１２０から入力される指示に基づく調整量の代わりに、受信した調整量に基づいて、非重畳領域及び重畳領域の少なくともいずれかを含む調整領域の画質を調整する。液晶プロジェクタ２００のＣＰＵ１１０は、受信した調整領域の情報が示す調整領域の画質を、受信した調整量だけ変更し、調整処理が完了した通知を液晶プロジェクタ１００のＣＰＵ１１０に送信する。液晶プロジェクタ１００のＣＰＵ１１０は、通信部１８０を介して液晶プロジェクタ２００から調整処理完了の通知を受信する。
【００６１】
また、液晶プロジェクタ１００のＣＰＵ１１０は、液晶プロジェクタ１００と液晶プロジェクタ２００との特性差に基づいて決定した、液晶プロジェクタ２００における非重畳領域又は重畳領域の画質の調整量を、液晶プロジェクタ２００へ送信してもよい。例えば、液晶プロジェクタ１００における一単位の調整幅に対する輝度の変化量と、液晶プロジェクタ２００における一単位の調整幅に対する輝度の変化量とが異なる場合、液晶プロジェクタ１００のＣＰＵ１１０は、これらの変化量の差に基づいて、液晶プロジェクタ２００における調整量を決定する。液晶プロジェクタ２００のＣＰＵ１１０は、液晶プロジェクタ１００から調整量を受信した場合には、操作部１２０から入力される指示に基づく調整量の代わりに、受信した調整量に基づいて、非重畳領域及び重畳領域の少なくともいずれかを含む調整領域の画質を調整する。
【００６２】
この場合、ＣＰＵ１１０は、例えば、液晶プロジェクタ２００の特性を示す情報を、通信部１８０を介して液晶プロジェクタ２００から受信し、液晶プロジェクタ１００の特性を示す情報を、ＲＯＭ１１１から読み出す。ＣＰＵ１１０は、液晶プロジェクタ１００の特性と液晶プロジェクタ２００の特性とを比較することにより、液晶プロジェクタ１００と液晶プロジェクタ２００との間の特性差を算出する。特性差は、調整量に影響を与える特性の差であり、例として調整量調整画面上でのカーソルの移動量に対する調整量の差が挙げられるが、調整量に影響を与える特性の差であれば何でもよい。
【００６３】
続いて、Ｓ３０５において、ＣＰＵ１１０は、非重畳領域（図５（１）における領域１）により構成される調整領域と重畳領域（図５（１）における領域２）により構成される参照領域とが合成された領域を、合成領域ｄ１に決定する。ＣＰＵ１１０は、例えば、画像処理部１４０から調整処理完了の通知を受信すると、調整領域と参照領域とを合成した合成領域ｄ１を、次の調整指示を受けた場合に、調整処理を連動して行うことができる一つの領域とする。ＣＰＵ１１０は、合成領域ｄ１に対して調整処理を行うと、合成領域ｄ１を構成する調整領域及び参照領域に対して、同じ調整処理を行うことができる。
【００６４】
例えば、図５（３）においては、Ｓ３０４においてＣＰＵ１１０が輝度を調整した調整領域と参照領域とを合成した領域が合成領域ｄ１となっている。これ以降、ユーザが液晶プロジェクタ１００の輝度を調整する場合、合成領域ｄ１に含まれる全ての画素の輝度が連動して調整されることになる。
【００６５】
続いて、Ｓ３０６において、液晶プロジェクタ１００のＣＰＵ１１０は、マルチ投影を構成している他の液晶プロジェクタ２００に領域情報を送信する。具体的には、液晶プロジェクタ１００のＣＰＵ１１０は、プロジェクタＩＤ、エッジブレンド幅、領域番号及び合成領域の情報を含む領域情報を送信する。また、ＣＰＵ１１０は、通信部１８０を介して液晶プロジェクタ２００に対して、液晶プロジェクタ３００に対して領域情報を送信するように指示要求を送信し、通信部１８０を介して液晶プロジェクタ２００から送信完了の通知を受信する。
【００６６】
続いて、Ｓ３０７において、ユーザが調整操作を終了するかどうかを判定し、ＣＰＵ１１０は、操作部１２０を介して、調整操作を終了する指示を受信した場合（Ｓ３０７でＹｅｓ）、調整処理を終了する。ＣＰＵ１１０は、調整操作を終了する指示を受信しない場合（Ｓ３０７でＮｏ）、Ｓ３０２に戻り、全ての領域の調整が終了するまで、Ｓ３０２からＳ３０６までの処理を繰り返す。
【００６７】
例えば、図５（３）に示す状態において、ユーザが、液晶プロジェクタ１００の領域情報選択画面で、液晶プロジェクタ２００の非重畳領域である領域３を調整領域と設定し、重畳領域である領域４を参照領域と設定したとする。この場合、ユーザは、調整量調整画面において、調整領域の輝度が参照領域の輝度２Ａ＋３に一致するように、調整量をＡ＋２に設定することで、調整領域の輝度と参照領域の輝度とを一致させることができる。液晶プロジェクタ１００のＣＰＵ１１０は、設定された調整量Ａ＋２を液晶プロジェクタ２００に送信することで、液晶プロジェクタ２００は、調整領域の輝度を２Ａ＋３に設定することができる。
【００６８】
領域３の調整が終了すると、図５（４）に示すように、領域３と領域４とが合成されて合成領域ｄ２になる。この状態においては、領域１と領域２との合成領域ｄ１、領域３と領域４との合成領域ｄ２、及び領域５が存在する。ユーザが、合成領域ｄ２を参照領域に設定し、領域５を調整領域に設定したとする。この場合、ユーザは、調整量調整画面において、調整領域の輝度が参照領域の輝度２Ａ＋３に一致するように、調整量をＡ＋１に設定することで、調整領域の輝度と参照領域の輝度とを一致させることができる。液晶プロジェクタ１００のＣＰＵ１１０は、設定された調整量Ａ＋１を液晶プロジェクタ３００に送信することで、液晶プロジェクタ２００は、調整領域の輝度を２Ａ＋３に設定することができる。
【００６９】
領域５の調整が終了すると、図５（５）に示すように、合成領域ｄ２と領域５とが合成されて合成領域ｄ３になる。この状態において、ユーザが、合成領域ｄ３を参照領域に設定し、合成領域ｄ１を調整領域に設定したとする。この場合、ユーザは、調整量調整画面において、調整領域の輝度が参照領域の輝度２Ａ＋３に一致するように、調整量を２に設定することで、図５（６）に示すように、全ての領域を含む合成領域ｄ４の輝度を２Ａ＋３に調整することができる。
【００７０】
［第１の実施形態における効果］
以上説明したように、本実施形態に係る投影システムＳは、第１指示に基づいて、重畳領域の画質又は非重畳領域の画質を調整した後に、第２指示に基づいて、重畳領域及び非重畳領域を合成した合成領域の画質を調整する。このような動作により、ユーザがマルチ投影において手動調整を行う場合の調整回数が削減され、調整が容易になるという効果を得ることができる。
【００７１】
なお、図５に示した調整方法は一例に過ぎず、他の順序で調整してもよい。例えば、図５においては、隣接する領域が合成されて合成領域となる例を示したが、合成領域を構成する領域は、隣接している複数の領域に限らない。例えば、ユーザが、領域１を調整領域に設定し、領域５を参照領域に設定して、領域５を参照しながら領域１を調整した場合、画質調整部１１０２は、領域１と領域５とを合成することにより合成領域を作成してもよい。
また、上記の説明においては、投影システムＳが３台のプロジェクタを含む場合について説明したが、投影システムＳは任意の数のプロジェクタを含んでよい。
【００７２】
＜第２の実施形態＞
図９は、第２の実施形態における画質調整動作のフローチャートである。第２の実施形態においては、ＣＰＵ１１０が、外部装置４００から領域情報を受信する点で、第１の実施形態と異なる。外部装置４００は、各液晶プロジェクタから領域情報及び調整用情報を取得したり、各液晶プロジェクタに領域情報及び調整用情報を送信したりする。外部装置４００は、調整領域及び参照領域を設定する調整領域設定手段としての調整領域設定画面を表示し、ユーザが調整領域及び参照領域を設定できるようにしてもよい。また、外部装置４００は、調整領域及び参照領域に対応する重畳領域及び非重畳領域の画質を連動させて調整するための第２指示を液晶プロジェクタ１００、液晶プロジェクタ２００及び液晶プロジェクタ３００の少なくともいずれかに送信してもよい。
【００７３】
図９に示すフローチャートは、ＣＰＵ１１０が、操作部１２０を介して、ユーザからの調整開始の信号を受信した時点をスタートとしている。なお、Ｓ４０２〜Ｓ４０５及びＳ４０７の動作は、Ｓ３０２〜Ｓ３０５及びＳ３０７の動作と同様であるため、説明は省略する。
【００７４】
まず、Ｓ４０１において、ＣＰＵ１１０は、通信部１８０を介して、外部装置４００に対して、マルチ投影全体の領域情報の取得要求を送信する。領域情報は、プロジェクタＩＤ、エッジブレンド幅及び領域番号であり、合成領域の情報がある場合は、合成領域の情報も含む。
【００７５】
外部装置４００は、取得要求を受信すると、領域情報を設定するための操作画面を表示する。ユーザは、操作画面上で、各プロジェクタのエッジブレンド幅を設定する。外部装置４００は、設定されたエッジブレンド幅に基づいて領域情報を生成し、液晶プロジェクタ１００のＣＰＵ１１０に送信する。液晶プロジェクタ１００のＣＰＵ１１０は、外部装置４００が送信したマルチ投影全体の領域情報を、通信部１８０を介して受信する。
【００７６】
続いて、Ｓ４０２〜Ｓ４０５の処理を実行した後に、Ｓ４０６において、液晶プロジェクタ１００のＣＰＵ１１０は、通信部１８０を介して外部装置４００に対して、プロジェクタＩＤ、エッジブレンド幅、領域番号及び合成領域の情報を含む領域情報を送信する。外部装置４００は、液晶プロジェクタ２００及び液晶プロジェクタ３００のＣＰＵ１１０に、液晶プロジェクタ１００から受信した領域情報を送信する。同様に、外部装置４００は、液晶プロジェクタ２００の領域情報を液晶プロジェクタ１００及び３００のＣＰＵ１１０に送信し、液晶プロジェクタ３００の領域情報を液晶プロジェクタ１００及び液晶プロジェクタ２００のＣＰＵ１１０に送信する。
【００７７】
なお、Ｓ４０２において、ＣＰＵ１１０は、外部装置４００においてユーザが設定した調整領域及び参照領域を示す調整用情報を、外部装置４００から受信してもよい。また、Ｓ４０３において、ＣＰＵ１１０は、外部装置４００においてユーザが設定した調整量を受信してもよい。
【００７８】
［第２の実施形態における効果］
以上説明したように、本実施形態に係る投影システムＳでは、外部装置４００を介して、各プロジェクタが領域情報を送受信する。このようにすることで、それぞれのプロジェクタにおける処理量を削減することができる。また、ユーザは、外部装置４００を用いて各種の操作をすることで、より簡単にマルチ投影時の画質を調整することができる。
【００７９】
以上、本発明を実施の形態を用いて説明したが、本発明の技術的範囲は上記実施の形態に記載の範囲には限定されず、その要旨の範囲内で種々の変形及び変更が可能である。
【符号の説明】
【００８０】
１００  液晶プロジェクタ
１７１  投影光学系
１１０１  取得部
１１０２  画質調整部
【図１】
2017085446.tif 000003
【図２】
2017085446.tif 000004
【図３】
2017085446.tif 000005
【図４】
2017085446.tif 000006
【図５】
2017085446.tif 000007
【図６】
2017085446.tif 000008
【図７】
2017085446.tif 000009
【図８】
2017085446.tif 000010
【図９】
2017085446.tif 000011